【手続補正書】
【提出日】平成16年12月22日(2004.12.22)
【手続補正１】
【補正対象書類名】特許請求の範囲
【補正対象項目名】全文
【補正方法】変更
【補正の内容】
【特許請求の範囲】
【請求項１】
イーサネット（登録商標）受動型光加入者ネットワークでＯＬＴに接続した複数のＯＮＵのＯＡＭ機能をＯＬＴがディスカバリーする方法であって、
前記ＯＬＴが、前記ＯＬＴに接続した複数のＯＮＵからの登録要請によって、それぞれのＯＮＵを識別するための識別子を割り当て、前記複数のＯＮＵのＯＡＭ機能ディスカバリー動作を始めるための第１のＯＡＭ機能情報メッセージを伝送する過程と、
前記ＯＬＴが、前記第１のＯＡＭ機能情報メッセージを受信したそれぞれのＯＮＵから前記ＯＮＵのＯＡＭ機能を報告する第２のＯＡＭ機能情報メッセージを受信する過程と、からなることを特徴とする方法。
【請求項２】
前記ＯＬＴが、前記複数のＯＮＵのうち所定のＯＮＵから、前記所定のＯＮＵのＯＡＭ機能を報告する第２のＯＡＭ機能情報メッセージを受信すると、前記所定のＯＮＵにＯＡＭ機能ディスカバリー動作が完了したことを報告するための第３のＯＡＭ機能情報メッセージを伝送する過程をさらに含む請求項１記載の方法。
【請求項３】
前記各メッセージを構成するデータフィールドは、ＯＡＭ状態ＰＤＵ(packet data unit)データフィールドの構造に、ＯＡＭ機能ディスカバリーの実行時におけるＯＡＭ機能伝達のための‘Static allocated bandwidth’情報が記録される第１のフィールドと、ネットワークトポロジーに関する情報が記録される第２のフィールドとをさらに含む請求項１または２に記載の方法。
【請求項４】
イーサネット（登録商標）受動型光加入者ネットワークで接続した複数のＯＮＵのＯＡＭ機能をＯＬＴがディスカバリーする方法であって、
前記ＯＬＴが、前記ＯＬＴに接続した複数のＯＮＵからの登録要請によって、それぞれのＯＮＵを識別するための識別子を割り当て、前記複数のＯＮＵに前記複数のＯＮＵに対するＯＡＭ機能ディスカバリー動作を始めるための第１のＯＡＭ機能情報メッセージを伝送する第１の過程と、
前記ＯＬＴが、前記ＯＡＭ機能ディスカバリー動作を始めるための第１のＯＡＭ機能情報メッセージを伝送し、第１の所定時間で前記ＯＮＵからそれぞれのＯＮＵのＯＡＭ機能を報告するための第２のＯＡＭ機能情報メッセージの受信を待機する第２の過程と、
前記ＯＬＴが、前記第２の過程によるＯＡＭ機能情報メッセージをそれぞれのＯＮＵから受信すると、前記ＯＬＴによりＯＡＭ機能ディスカバリー動作が完了したことを報告するための第３のＯＡＭ機能情報メッセージを、前記第２の過程による第２のＯＡＭ機能情報メッセージを伝送した前記ＯＮＵに伝送する第３の過程と、を含んでなることを特徴とする方法。
【請求項５】
ＯＬＴが、前記第２の過程による前記ＯＮＵからの第２のＯＡＭ機能情報メッセージの受信を待機する第１の所定時間で、前記ＯＮＵから第２のＯＡＭ機能情報メッセージが受信されないと、前記第１の過程による前記ＯＮＵに対するＯＡＭ機能ディスカバリー動作を始めるための第１のＯＡＭ機能情報メッセージを再伝送する第４の過程をさらに含む請求項４記載の方法。
【請求項６】
前記それぞれのＯＮＵは、
前記第１の過程により、前記ＯＬＴからＯＡＭ機能ディスカバリー動作を始めるための第１のＯＡＭ機能情報メッセージを受信し、
前記第２の過程により、前記ＯＬＴに前記ＯＮＵのＯＡＭ機能を報告するための第２のＯＡＭ機能情報メッセージを伝送し、
前記ＯＬＴから、前記ＯＮＵに対するＯＡＭ機能ディスカバリー動作が完了したことを報告するための第３のＯＡＭ機能情報メッセージの受信を第２の所定時間で待機することを特徴とする請求項４記載の方法。
【請求項７】
前記各メッセージを構成するデータフィールドは、ＯＡＭ状態ＰＤＵデータフィールドの構造に、ＯＡＭ機能ディスカバリー動作を遂行するときにＯＡＭ機能の伝達のためにStatic allocated bandwidth情報が記録される第１のフィールドと、ネットワークトポロジーに関する情報が記録される第２のフィールドとを含む請求項４記載の方法。
【請求項８】
前記ＯＮＵは、
前記ＯＬＴから前記ＯＮＵに対するＯＡＭ機能ディスカバリー動作が完了したことを報告する第３のＯＡＭ機能情報メッセージが前記第２の所定時間で受信されないと、前記ＯＮＵのＯＡＭ機能を報告するための第２のＯＡＭ機能情報メッセージを再伝送する請求項６記載の方法。
【請求項９】
前記ＯＡＭ機能情報メッセージは、前記ＯＡＭ機能情報メッセージの動作状態を表示するためのフィールドを含む請求項１から３のいずれか１項に記載の方法。
【請求項１０】
前記ＯＡＭ機能情報メッセージの動作状態を表示するためのフィールドは、
前記ＯＬＴが前記複数のＯＮＵのＯＡＭ機能ディスカバリー動作を始めることを表示する第１の設定値と、
前記それぞれのＯＮＵのＯＡＭ機能を報告することを表示する第２の設定値と、
前記ＯＬＴによりＯＡＭ機能ディスカバリー動作の完了を表示する第３の設定値と、
前記ＯＡＭ機能ディスカバリー動作が完了した後のＯＡＭ状態ＰＤＵであることを表示する第４の設定値とのうちのいずれか一つの値を有する請求項９記載の方法。
【請求項１１】
前記ＯＡＭ機能情報メッセージは、前記ＯＡＭ機能情報メッセージの動作状態を表示するためのフィールドを含む請求項４から８のいずれか１項に記載の方法。
【請求項１２】
前記ＯＡＭ機能情報メッセージの動作状態を表示するためのフィールドは、
前記ＯＬＴが前記複数のＯＮＵのＯＡＭ機能ディスカバリー動作を始めることを表示する第１の設定値と、
前記それぞれのＯＮＵのＯＡＭ機能を報告することを表示する第２の設定値と、
前記ＯＬＴによりＯＡＭ機能ディスカバリー動作の完了を表示する第３の設定値と、
前記ＯＡＭ機能ディスカバリー動作が完了した後のＯＡＭ状態ＰＤＵであることを表示する第４の設定値のうちのいずれか一つの値を有する請求項１１記載の方法。
【手続補正２】
【補正対象書類名】明細書
【補正対象項目名】００１２
【補正方法】変更
【補正の内容】
【００１２】
このような目的を達成するための本発明は、イーサネット（登録商標）受動型光加入者ネットワークでＯＬＴに接続された複数のＯＮＵのＯＡＭ機能をＯＬＴがディスカバリーする方法であって、前記ＯＬＴが、前記ＯＬＴに接続した複数のＯＮＵからの登録要請によって、それぞれのＯＮＵを識別するための識別子を割り当て、前記複数のＯＮＵのＯＡＭ機能ディスカバリー動作を始めるための第１のＯＡＭ機能情報メッセージを伝送する過程と、前記ＯＬＴが、前記第１のＯＡＭ機能情報メッセージを受信したそれぞれのＯＮＵから前記ＯＮＵのＯＡＭ機能を報告する第２のＯＡＭ機能情報メッセージを受信する過程と、からなることを特徴とする。
【手続補正３】
【補正対象書類名】明細書
【補正対象項目名】００１３
【補正方法】変更
【補正の内容】
【００１３】
また、本発明は、イーサネット（登録商標）受動型光加入者ネットワークでＯＬＴに接続された複数のＯＮＵのＯＡＭ機能をＯＬＴがディスカバリーする方法であって、前記ＯＬＴが、前記ＯＬＴに接続された複数のＯＮＵからの登録要請によって、それぞれのＯＮＵを識別するための識別子を割り当て、前記複数のＯＮＵのＯＡＭ機能ディスカバリー動作を始めるための第１のＯＡＭ機能情報メッセージを伝送する過程と、前記ＯＬＴが、前記第１のＯＡＭ機能情報メッセージを受信したそれぞれのＯＮＵから前記ＯＮＵのＯＡＭ機能を報告する第２のＯＡＭ機能情報メッセージを受信する過程と、からなることを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】